(57)【要約】【課題】上方から荷重が作用したときに、胴膨れを抑制するとともに、見栄えを良くできる包装箱を提供する。【解決手段】包装箱１であって、前後左右の壁部１１，１２を有する胴部１０と、胴部１０に連設された頂板２０および底板３０と、を有している。隣り合う両壁部１１，１２は、折線Ｌ１を介して連設され、隣り合う両壁部１１，１２には傾斜罫線Ｌ１０，Ｌ１０がそれぞれ形成されている。傾斜罫線Ｌ１０は、下端部から上方に向かうに連れて折線Ｌ１から離れるように、折線Ｌ１に対して傾斜し、折線Ｌ１の下端部に向けて延びている。【選択図】図１
2020063074.tif 000002
【特許請求の範囲】
【請求項１】
前後左右の壁部を有する筒状の胴部と、
前記胴部の上縁部に連設された頂板と、
前記胴部の下縁部に連設された底板と、を有し、
隣り合う前記両壁部は、折線を介して連設されており、
隣り合う前記両壁部には、上下方向に延びている傾斜罫線がそれぞれ形成され、
前記傾斜罫線は、下端部から上方に向かうに連れて前記折線から離れるように、前記折線に対して傾斜し、前記折線の下端部に向けて延びていることを特徴とする包装箱。
【請求項２】
請求項１に記載の包装箱であって、
前記傾斜罫線は、前記壁部の下縁部に対して６０度から８０度の間の傾斜角度に形成されていることを特徴とする包装箱。
【請求項３】
請求項１または請求項２に記載の包装箱であって、
前記傾斜罫線の上端部から前記壁部の上縁部に向けて複数の分岐罫線が延びていることを特徴とする包装箱。
【請求項４】
請求項１から請求項３のいずれか一項に記載の包装箱であって、
前記壁部の上部には、前記壁部の上縁部に沿って延びている横罫線が形成されていることを特徴とする包装箱。
【請求項５】
請求項４に記載の包装箱であって、
前記横罫線の端部から下方に向けて縦罫線が延びていることを特徴とする包装箱。
【発明の詳細な説明】
【技術分野】
【０００１】
本発明は、包装箱に関する。
【背景技術】
【０００２】
段ボール製の包装箱としては、筒状の胴部と、胴部に連設された頂板および底板と、を備えているＡ式の段ボール箱がある。このような包装箱を積み重ねたときには、上方からの荷重によって、壁部が外側に膨らむ胴膨れが発生し、最終的には壁部が座屈する場合がある。
【０００３】
従来の包装箱としては、壁部の中央部に上下方向に延びている罫線を形成しているものがある（例えば、特許文献１参照）。この包装箱では、上方から荷重が作用したときに、罫線において壁部を規則的に変形させることで、胴膨れおよび座屈を抑制している。
【先行技術文献】
【特許文献】
【０００４】
【特許文献１】特開２０１５−０４２５５８号公報
【発明の概要】
【発明が解決しようとする課題】
【０００５】
包装箱を積み重ねたときには、上方からの荷重が胴部の角部に大きく作用する。前記した従来の包装箱では、罫線が壁部の中央部に形成されているため、上方からの荷重によって胴部の角部が座屈し易いという問題がある。
【０００６】
本発明は、前記した問題を解決し、上方から荷重が作用したときに、胴膨れを抑制し、壁部および角部の座屈を防ぐことができる包装箱を提供することを課題とする。
【課題を解決するための手段】
【０００７】
前記課題を解決するため、本発明は、包装箱であって、前後左右の壁部を有する筒状の胴部と、前記胴部の上縁部に連設された頂板と、前記胴部の下縁部に連設された底板と、を有している。隣り合う前記両壁部は、折線を介して連設されており、隣り合う前記両壁部には、上下方向に延びている傾斜罫線がそれぞれ形成されている。前記傾斜罫線は、下端部から上方に向かうに連れて前記折線から離れるように、前記折線に対して傾斜し、前記折線の下端部に向けて延びている。
【０００８】
本発明の包装箱では、角部の折線の下端部を起点とする二本の傾斜罫線が、折線を挟んでＶ字形状に配置されている。この構成では、包装箱に上方から荷重が作用したときに、角部の折線の両側に配置された両傾斜罫線において壁部が規則的に変形することで、胴膨れを抑制し、壁部および角部の座屈を防ぐことができる。これにより、本発明の包装箱では、上方からの荷重によって胴部が変形したときでも見栄えを良くできる。
【０００９】
前記した包装箱において、前記傾斜罫線を前記壁部の下縁部に対して６０度から８０度の間の傾斜角度に形成することが好ましい。
この構成では、上方からの荷重が傾斜罫線に沿って折線の下端部に向けて作用するため、胴膨れを効果的に抑制できる。
【００１０】
前記した包装箱において、前記傾斜罫線の上端部から前記壁部の上縁部に向けて複数の分岐罫線を延ばすことが好ましい。
この構成では、上方からの荷重が分岐罫線に沿って傾斜罫線に集中し、上方からの荷重が折線の下端部に向けて確実に作用するため、胴膨れを効果的に抑制できる。
【００１１】
前記した包装箱において、前記壁部の上部には、前記壁部の上縁部に沿って延びている横罫線を形成することが好ましい。
この構成では、包装箱に上方から荷重が作用して、横罫線において壁部が変形すると、壁部の上縁部と横罫線との間に傾斜面が形成されるため、上方から荷重が作用して胴部が変形したときでも、包装箱の見栄えを良くできる。
【００１２】
前記した包装箱において、前記横罫線の端部から下方に向けて縦罫線を延ばした場合には、横罫線から縦罫線に荷重が作用し、縦罫線において壁部が規則的に変形することで、胴膨れを抑制し、壁部の座屈を防ぐことができる。
【発明の効果】
【００１３】
本発明の包装箱では、上方から荷重が作用したときに、角部の両側で壁部が規則的に変形することで、胴膨れを抑制し、壁部および角部の座屈を防ぐことができるため、上方からの荷重によって胴部が変形したときでも見栄えを良くできる。
【図面の簡単な説明】
【００１４】
【図１】本発明の実施形態に係る包装箱の開封前を前方右上から見た斜視図である。
【図２】本発明の実施形態に係る包装箱のブランクシートを示した図である。
【図３】本発明の実施形態に係る包装箱を示した正面図である。
【図４】本発明の実施形態に係る包装箱を示した右側面図である。
【発明を実施するための形態】
【００１５】
本発明の実施形態について、適宜図面を参照しながら詳細に説明する。
以下の説明において、前後左右方向とは、本実施形態の包装箱を説明する上で便宜上設定したものであり、本発明の包装箱の構成を限定するものではない。
【００１６】
本実施形態の包装箱１は、図１に示すように、角筒状の胴部１０と、胴部１０の上縁部に連設された頂板２０と、胴部１０の下縁部に連設された底板３０と、を備えている。本実施形態の包装箱１は、Ａ式の段ボール箱である。
【００１７】
包装箱１は、図２に示すように、段ボール製のシートを切り抜いたブランクシートＳを各罫線において山折りまたは谷折りすることで形成される。図２に示すブランクシートＳは外面側が見えるように配置されている。
ブランクシートＳの各罫線（折線）は、ブランクシートＳの内面を押し込んで形成された線状の溝（押罫）である。なお、罫線に切れ込みを形成してもよい。このようにすると、罫線においてブランクシートＳを折り曲げ易くなる。
【００１８】
胴部１０は、図１に示すように、前後一対の端壁１１，１１と、左右一対の側壁１２，１２と、を有している。端壁１１および側壁１２は、それぞれ四角形の壁部である。
前側の端壁１１の右縁部には、折線Ｌ１を介して右側の側壁１２が連設されている。また、前側の端壁１１の左縁部には、折線Ｌ１を介して左側の側壁１２が連設されている。また、右側の側壁１２の後縁部には、折線Ｌ１を介して後側の端壁１１が連設されている。また、後側の端壁１１の左縁部には、折線Ｌ１を介して帯状の接合片１３（図２参照）が連設されている。
【００１９】
ブランクシートＳ（図２参照）を各折線Ｌ１で折り曲げつつ、接合片１３（図２参照）を左側の側壁１２の内面にホットメルト等の接着手段によって接合すると、前後の端壁１１，１１と左右の側壁１２，１２とによって、四角形の角筒状の胴部１０が形成される。
【００２０】
頂板２０は、胴部１０の上側開口部を閉塞している。頂板２０は、前後の端壁１１，１１の上縁部に連設された前後の外フラップ２１，２１を、左右の側壁１２，１２の上縁部に連設された左右の内フラップ２２，２２（図２参照）の外面に重ねることで形成されている。
【００２１】
底板３０は、胴部１０の下側開口部を閉塞している。底板３０と頂板２０とは上下対称な構成である。底板３０は、図２に示す前後の外フラップ３１，３１を左右の内フラップ３２，３２の外面に重ねることで形成されている。
【００２２】
前側の端壁１１には、図３に示すように、左右二本の傾斜罫線Ｌ１０，Ｌ１０と、横罫線Ｌ２０と、左右二本の縦罫線Ｌ３０，Ｌ３０と、が形成されている。
端壁１１の中央部には、開封開始部１５が形成されている。包装箱１を開封するときには、開封開始部１５から左右方向に向けて端壁１１の一部を帯状に切り取ることで、端壁１１を上下に分割できる。
【００２３】
左右の傾斜罫線Ｌ１０，Ｌ１０は、上下方向に延びている直線状の罫線である。右側の傾斜罫線Ｌ１０は、端壁１１の右側部に形成され、左側の傾斜罫線Ｌ１０は、端壁１１の左側部に形成されている。
【００２４】
右側の傾斜罫線Ｌ１０は、下端部から上方に向かうに連れて、端壁１１の右縁部（折線Ｌ１）から離れるように、端壁１１の右縁部（折線Ｌ１）に対して傾斜している。つまり、右側の傾斜罫線Ｌ１０は、下端部よりも上端部が左方に配置されるように、端壁１１の下縁部Ｌ３に対して傾斜している。
【００２５】
本実施形態の右側の傾斜罫線Ｌ１０は、端壁１１の下縁部Ｌ３に対して６０度から８０度の間の傾斜角度Ａに形成されている。つまり、右側の傾斜罫線Ｌ１０は、端壁１１の右縁部（折線Ｌ１）に対して１０度から３０度の間の傾斜角度に形成されている。なお、端壁１１の下縁部Ｌ３に対する右側の傾斜罫線Ｌ１０の傾斜角度Ａは７０度であることが好ましい。
【００２６】
本実施形態では、右側の傾斜罫線Ｌ１０の下端部が、端壁１１の右縁部（折線Ｌ１）の下端部から離れている。右側の傾斜罫線Ｌ１０は、端壁１１の右縁部（折線Ｌ１）の下端部に向けて延びている。つまり、右側の傾斜罫線Ｌ１０の延長線上に折線Ｌ１の下端部が配置されている。
【００２７】
本実施形態では、右側の傾斜罫線Ｌ１０の上端部が、端壁１１の上縁部Ｌ２から離れている。また、右側の傾斜罫線Ｌ１０の上端部から端壁１１の上縁部Ｌ２に向けて左右二本の分岐罫線Ｌ１１，Ｌ１１が延びている。
両分岐罫線Ｌ１１，Ｌ１１は、右側の傾斜罫線Ｌ１０の上端部から左右方向に分岐している。両分岐罫線Ｌ１１，Ｌ１１の開き角度は鈍角に形成されている。また、両分岐罫線Ｌ１１，Ｌ１１の上端部は、端壁１１の上縁部Ｌ２から離れている。
【００２８】
左側の傾斜罫線Ｌ１０と右側の傾斜罫線Ｌ１０とは、左右対称な構成である。つまり、左側の傾斜罫線Ｌ１０は、下端部から上方に向かうに連れて、端壁１１の左縁部（折線Ｌ１）から離れるように、端壁１１の左縁部（折線Ｌ１）に対して傾斜している。左側の傾斜罫線Ｌ１０は、端壁１１の左縁部（折線Ｌ１）の下端部に向けて延びている。また、左側の傾斜罫線Ｌ１０の上端部から左右二本の分岐罫線Ｌ１１，Ｌ１１が延びている。
【００２９】
横罫線Ｌ２０は、端壁１１の上部において、左右方向の中央部に形成されている。横罫線Ｌ２０は、左右の傾斜罫線Ｌ１０，Ｌ１０の間で、開封開始部１５の上方に配置されている。
横罫線Ｌ２０は、端壁１１の上縁部Ｌ２に対して間隔を空けて配置されている。横罫線Ｌ２０は、左右の傾斜罫線Ｌ１０，Ｌ１０の上端部と略同じ高さに配置されている。また、横罫線Ｌ２０は、端壁１１の上縁部Ｌ２に平行している。
【００３０】
左右の縦罫線Ｌ３０，Ｌ３０は、横罫線Ｌ２０の左右の端部から下方に向けて延びている。左右の縦罫線Ｌ３０，Ｌ３０は、上下方向に延びている直線状の罫線である。
【００３１】
右側の縦罫線Ｌ３０は、横罫線Ｌ２０の右端部から下方に向けて延びている。右側の縦罫線Ｌ３０の下端部は、端壁１１の下縁部Ｌ３から離れている。
右側の縦罫線Ｌ３０は、上端部から下方に向かうに連れて、端壁１１の右縁部（折線Ｌ１）から離れるように、端壁１１の右縁部（折線Ｌ１）に対して傾斜している。
【００３２】
本実施形態の右側の縦罫線Ｌ３０は、横罫線Ｌ２０に対して６０度から８０度の間の傾斜角度Ｂに形成されている。つまり、右側の縦罫線Ｌ３０は、端壁１１の右縁部（折線Ｌ１）に対して１０度から３０度の間の傾斜角度に形成されている。なお、横罫線Ｌ２０に対する右側の縦罫線Ｌ３０の傾斜角度Ｂは７０度であることが好ましい。
【００３３】
左側の縦罫線Ｌ３０は、横罫線Ｌ２０の左端部から下方に向けて延びている。左側の縦罫線Ｌ３０と右側の縦罫線Ｌ３０とは、左右対称な構成である。つまり、左側の縦罫線Ｌ３０は、上端部から下方に向かうに連れて、端壁１１の左縁部（折線Ｌ１）から離れるように、端壁１１の左縁部（折線Ｌ１）に対して傾斜している。
【００３４】
左右の縦罫線Ｌ３０，Ｌ３０の下端部は、左右方向に間隔を空けて配置されている。左右の縦罫線Ｌ３０，Ｌ３０の左右方向の間隔は、上端部から下端部に向かうに連れて狭くなっている。左右の縦罫線Ｌ３０，Ｌ３０の間に開封開始部１５が配置されている。
【００３５】
図２に示すように、後側の端壁１１にも前側の端壁１１と同様に、左右の傾斜罫線Ｌ１０，Ｌ１０と、横罫線Ｌ２０と、左右の縦罫線Ｌ３０，Ｌ３０と、が形成され、傾斜罫線Ｌ１０の上端部から左右の分岐罫線Ｌ１１，Ｌ１１が延びている。また、後側の端壁１１の中央部にも開封開始部１５が形成されている。
【００３６】
右側の側壁１２には、図４に示すように、前後二本の傾斜罫線Ｌ１０，Ｌ１０が形成されている。また、側壁１２の上部の中央部には、手掛け穴１６が形成されている。手掛け穴１６は、包装箱１を持ち上げるときに、作業者の手を掛ける貫通穴であり、ブランクシートＳ（図２参照）の状態では蓋板によって閉塞されている。
【００３７】
前後の傾斜罫線Ｌ１０，Ｌ１０は、上下方向に延びている直線状の罫線である。前側の傾斜罫線Ｌ１０は、側壁１２の前部に形成され、後側の傾斜罫線Ｌ１０は、側壁１２の後部に形成されている。
【００３８】
前側の傾斜罫線Ｌ１０は、下端部から上方に向かうに連れて、側壁１２の前縁部（折線Ｌ１）から離れるように、側壁１２の前縁部（折線Ｌ１）に対して傾斜している。つまり、前側の傾斜罫線Ｌ１０は、下端部よりも上端部が後方に配置されるように、側壁１２の下縁部Ｌ５に対して傾斜している。
【００３９】
本実施形態の前側の傾斜罫線Ｌ１０は、側壁１２の下縁部Ｌ５に対して６０度から８０度の間の傾斜角度Ａに形成されている。つまり、前側の傾斜罫線Ｌ１０は、側壁１２の前縁部（折線Ｌ１）に対して１０度から３０度の間の傾斜角度に形成されている。なお、側壁１２の下縁部Ｌ５に対する前側の傾斜罫線Ｌ１０の傾斜角度Ａは７０度であることが好ましい。
【００４０】
本実施形態では、前側の傾斜罫線Ｌ１０の下端部が、側壁１２の前縁部（折線Ｌ１）の下端部から離れている。前側の傾斜罫線Ｌ１０は、側壁１２の前縁部（折線Ｌ１）の下端部に向けて延びている。つまり、前側の傾斜罫線Ｌ１０の延長線上に折線Ｌ１の下端部が配置されている。
【００４１】
本実施形態では、前側の傾斜罫線Ｌ１０の上端部が、側壁１２の上縁部Ｌ４から離れている。また、前側の傾斜罫線Ｌ１０の上端部から側壁１２の上縁部Ｌ４に向けて左右二本の分岐罫線Ｌ１１，Ｌ１１が延びている。
両分岐罫線Ｌ１１，Ｌ１１は、前側の傾斜罫線Ｌ１０の上端部から前後方向に分岐している。両分岐罫線Ｌ１１，Ｌ１１の開き角度は鈍角に形成されている。また、両分岐罫線Ｌ１１，Ｌ１１の上端部は、側壁１２の上縁部Ｌ４から離れている。
【００４２】
後側の傾斜罫線Ｌ１０と前側の傾斜罫線Ｌ１０とは、前後対称な構成である。つまり、前側の傾斜罫線Ｌ１０は、下端部から上方に向かうに連れて、側壁１２の後縁部（折線Ｌ１）から離れるように、側壁１２の後縁部（折線Ｌ１）に対して傾斜している。後側の傾斜罫線Ｌ１０は、側壁１２の後縁部（折線Ｌ１）の下端部に向けて延びている。また、後側の傾斜罫線Ｌ１０の上端部から左右二本の分岐罫線Ｌ１１，Ｌ１１が延びている。
【００４３】
図２に示すように、後側の端壁１１にも前側の端壁１１と同様に、左右の傾斜罫線Ｌ１０，Ｌ１０と、横罫線Ｌ２０と、左右の縦罫線Ｌ３０，Ｌ３０と、が形成され、傾斜罫線Ｌ１０の上端部から左右の分岐罫線Ｌ１１，Ｌ１１が延びている。また、後側の端壁１１の中央部にも手掛け穴１６が形成されている。
【００４４】
本実施形態の包装箱１では、図１に示すように、角部１０ａの折線Ｌ１の下端部を起点とする二本の傾斜罫線Ｌ１０，Ｌ１０が、折線Ｌ１を挟んでＶ字形状に配置されている。
本実施形態の包装箱１では、右前の角部１０ａと同様に、右後、左前、左後の各角部１０ａにおいても、角部１０ａごとに二本の傾斜罫線Ｌ１０，Ｌ１０が形成されている。
【００４５】
以上のような包装箱１では、上方から荷重が作用したときに、角部１０ａの折線Ｌ１の両側に配置された両傾斜罫線Ｌ１０，Ｌ１０において、端壁１１および側壁１２が規則的に変形する。これにより、包装箱１の胴膨れを抑制し、端壁１１、側壁１２および角部１０ａの座屈を防ぐことができる。したがって、包装箱１では、上方からの荷重によって胴部１０が変形したときでも見栄えを良くできる。
【００４６】
また、本実施形態の包装箱１では、上方からの荷重が傾斜罫線Ｌ１０に沿って折線Ｌ１の下端部に向けて作用する。さらに、本実施形態の包装箱１では、上方からの荷重が分岐罫線Ｌ１１に沿って傾斜罫線Ｌ１０に集中する。したがって、本実施形態の包装箱１では、上方からの荷重が折線Ｌ１の下端部に向けて確実に作用するため、胴膨れを効果的に抑制できる。
【００４７】
本実施形態の包装箱１では、上方から荷重が作用して、横罫線Ｌ２０において端壁１１が変形すると、端壁１１の上縁部Ｌ２と横罫線Ｌ２０との間に傾斜面が形成される。したがって、本実施形態の包装箱１では、上方から荷重が作用して胴部１０が変形したときでも見栄えを良くできる。
【００４８】
また、本実施形態の包装箱１では、横罫線Ｌ２０から左右の縦罫線Ｌ３０，Ｌ３０に荷重が作用し、両縦罫線Ｌ３０，Ｌ３０において端壁１１が規則的に変形することで、胴膨れを抑制して、端壁１１の座屈を防ぐことができる。
【００４９】
以上、本発明の実施形態について説明したが、本発明は前記実施形態に限定されることなく、その趣旨を逸脱しない範囲で適宜に変更が可能である。
本実施形態の包装箱１では、図１に示すように、傾斜罫線Ｌ１０の上端部から二本の分岐罫線Ｌ１１，Ｌ１１が延びているが、分岐罫線Ｌ１１の本数は限定されるものではない。また、分岐罫線Ｌ１１の形状は限定されるものではなく、分岐罫線Ｌ１１全体が湾曲していてもよい。なお、傾斜罫線Ｌ１０に分岐罫線Ｌ１１を設けなくてもよい。
【００５０】
本実施形態の包装箱１では、傾斜罫線Ｌ１０全体が直線状に形成されているが、傾斜罫線Ｌ１０の少なくとも下部が直線状に形成されていればよく、傾斜罫線Ｌ１０の上部が湾曲や屈曲していてもよい。
【００５１】
本実施形態の包装箱１では、端壁１１に横罫線Ｌ２０および縦罫線Ｌ３０が形成されているが、側壁１２に横罫線Ｌ２０および縦罫線Ｌ３０を形成してもよい。さらに、端壁１１および側壁１２には、横罫線Ｌ２０のみを形成してもよい。また、横罫線Ｌ２０および縦罫線Ｌ３０の形状は限定されるものではなく、横罫線Ｌ２０および縦罫線Ｌ３０が湾曲や屈曲していてもよい。
【００５２】
本実施形態の包装箱１は段ボール製であるが、各種公知の板紙によって包装箱を形成してもよい。
【符号の説明】
【００５３】
１      包装箱
１０    胴部
１０ａ  角部
１１    端壁（壁部）
１２    側壁（壁部）
１５    開封開始部
１６    手掛け穴
２０    頂板
２１    外フラップ
２２    内フラップ
３０    底板
３１    外フラップ
３２    内フラップ
Ｌ１    折線
Ｌ１０  傾斜罫線
Ｌ１１  分岐罫線
Ｌ２０  横罫線
Ｌ３０  縦罫線
Ｓ      ブランクシート
【図１】
2020063074.tif 000003
【図２】
2020063074.tif 000004
【図３】
2020063074.tif 000005
【図４】
2020063074.tif 000006